(57)【要約】【課題】  メンテナンス性および組立性が良好な遊技機の提供を目的としている。【解決手段】  本発明の遊技機１は、遊技に必要な各種装置を組み込んで成る筐体１０と、筐体１０に設けられ且つ筐体１０の内部を外部に対して開放する開位置と筐体の内部を外部に対して閉塞する閉位置との間で開閉する開閉扉１１と、開閉扉１１の両側に位置して筐体１０に設置され且つ遊技に必要な各種の操作または処理を行なうための一対の機器１５，３０とを備え、開閉扉１１は、開閉扉１１に対する一対の機器１５，３０の設置方向と略直交する方向で開閉することを特徴とする。【選択図】図３
2005144129.tif 000002
【特許請求の範囲】
【請求項１】
遊技に必要な各種装置を組み込んで成る筐体と、
前記筐体に設けられ、筐体の内部を外部に対して開放する開位置と、筐体の内部を外部に対して閉塞する閉位置との間で開閉する開閉扉と、
前記開閉扉の両側に位置して前記筐体に設置され、遊技に必要な各種の操作または処理を行なうための一対の機器と、
を備え、
前記開閉扉は、開閉扉に対する前記一対の機器の設置方向と略直交する方向で開閉することを特徴とする遊技機。
【請求項２】
前記一対の機器は、前記開閉扉が前記閉位置に位置された際には、前記筐体からの分離が前記開閉扉によって規制されるとともに、前記開閉扉が前記開位置に位置された際には、前記開閉扉による規制が解除され、前記筐体から分離できることを特徴とする請求項１に記載の遊技機。
【請求項３】
前記開閉扉は、前記開位置と前記閉位置との間で９０°以上回動することを特徴とする請求項１または請求項２に記載の遊技機。
【請求項４】
前記開閉扉と前記筐体との間に介在して設けられ、前記開閉扉を開閉可能に支持するとともに、前記開閉扉の開放状態を維持可能な支持手段を更に備えていることを特徴とする請求項１から請求項３のいずれか１項に記載の遊技機。
【発明の詳細な説明】
【技術分野】
【０００１】
本発明は、各種の遊技が行なえる遊技機に関する。
【背景技術】
【０００２】
一般に、遊技機には、その遊技の態様、及びそのような遊技を実行する遊技装置を組み込んでいる筐体に関し、様々な形態のものが知られている。例えば、遊技機の一つとして知られているスロットマシンには、特許文献１に開示されているように、着座して遊技するタイプ（スラント型とも称される）のものや、立って遊技するタイプ（アップライト型とも称される）のものが知られている。
【０００３】
このようなスロットマシンは、一般に、それぞれ図柄が描かれた複数の回転リールを横一列に回転可能に配設して成るリールユニットを含む遊技装置と、この遊技装置を内部に組み込んだ筐体とを備えている。また、前記筐体には、前記回転リールを視認できる表示部と、この表示部の前方下側（遊技者側）に設置され且つ遊技を行なう上で必要とされる各種の操作ボタンやコイン投入口を有する操作部とが設けられている。また、前記筐体には、前記表示部の後方上側に、タッチパネル等の入力装置や、遊技に必要な情報を記憶したカードを読み取るカードリーダ等の機器も設置されている。
【特許文献１】特開２００３−６７８１０号公報
【発明の開示】
【発明が解決しようとする課題】
【０００４】
ところで、前述した構成のスロットマシンの中には、前記表示部が開閉扉として形成されているものがある。この開閉扉は、例えばヒンジ機構により前記筐体に対して開閉可能に取り付けられており、筐体の内部を外部に対して閉塞する閉位置（通常の遊技状態）から上側に回動して、筐体の内部を外部に対して開放するようになっている。
【０００５】
しかしながら、このように前記開閉扉が上側に開放されると、前記開閉扉の後方上側に設置された入力装置やカードリーダ等の前記機器が開放された開閉扉によって隠れてしまうため、開閉扉によって開放された筐体内の遊技装置のメンテナンスを行なう際に、そのメンテナンスに伴う前記機器の操作がしづらくなったり、前記機器をメンテナンス中に目視することが困難になるという問題が生じる。
【０００６】
また、機器の設置方向（上側）に開閉扉が開放される前記構成では、開閉扉を大きく開放すると、開閉扉がその開放方向に位置する前記機器と干渉してしまう場合がある。そのため、開閉扉を十分に開放することができず、メンテナンスがしずらくなるとともに、メンテナンス中に不意に開閉扉が閉じてしまうという事態も想定され、改善が望まれている。
【０００７】
更に、前述した構成のスロットマシンにおいては、入力装置やカードリーダ等の前記機器や前記操作部が、一般に、ネジ止などの固定手段により前記筐体に対して取り外し可能に装着されているため、これらを分解してメンテナンスする際には、いちいちネジを緩めて取り外す必要があり、分解メンテナンスおよび組立が非常に面倒であるという問題もある。
【０００８】
本発明は、前記事情に着目してなされたものであり、その目的とするところは、メンテナンス性および組立性が良好な遊技機を提供することにある。
【課題を解決するための手段】
【０００９】
前記課題を解決するために、請求項１に記載された遊技機は、遊技に必要な各種装置を組み込んで成る筐体と、前記筐体に設けられ且つ筐体の内部を外部に対して開放する開位置と筐体の内部を外部に対して閉塞する閉位置との間で開閉する開閉扉と、前記開閉扉の両側に位置して前記筐体に設置され且つ遊技に必要な各種の操作または処理を行なうための一対の機器とを備え、前記開閉扉は、開閉扉に対する前記一対の機器の設置方向と略直交する方向で開閉することを特徴とする。
【００１０】
この請求項１に記載された遊技機によれば、前記開閉扉は、この開閉扉に対する前記一対の機器の設置方向と略直交する方向で開閉するため、前記開閉扉を開放しても、前記開閉扉の両側に設置された前記機器が開放された開閉扉によって隠れてしまうことがない。そのため、開閉扉によって開放された筐体内の各種装置のメンテナンスを行なう場合にも、そのメンテナンスに伴う前記機器の操作がやり易く、また、メンテナンス中に前記機器を何ら障害無く目視することができる。すなわち、請求項１に記載された遊技機によれば、メンテナンス性が非常に良好となる。
【００１１】
なお、「開閉扉に対する前記一対の機器の設置方向と略直交する方向で開閉する」とは、例えば、前記一対の機器が開閉扉の上下に位置している場合には、開閉扉が略左右方向で開閉することを意味し、一方、前記一対の機器が開閉扉の左右に位置している場合には、開閉扉が略上下方向で開閉することを意味している。また、前記開閉扉の開閉動作形態としては、ヒンジ結合等による回動や、ガイドレール等に沿うスライド動作など、周知の任意の形態を採用することができる。また、前記開閉扉の両側に設置される前記機器としては、遊技に必要な各種の操作を行なうための操作手段を有する操作部や、タッチパネル（液晶装置）等の入力装置、遊技に必要な情報を記憶したカードを読み取るカードリーダ等を挙げることができる。
【００１２】
また、請求項２に記載された遊技機は、請求項１に記載された遊技機において、前記一対の機器は、前記開閉扉が前記閉位置に位置された際には、前記筐体からの分離が前記開閉扉によって規制されるとともに、前記開閉扉が前記開位置に位置された際には、前記開閉扉による規制が解除され、前記筐体から分離できることを特徴とする。
【００１３】
この請求項２に記載された遊技機によれば、請求項１に記載された遊技機と同様の作用効果を得ることができるとともに、前記一対の機器は、ネジ等の固定手段によってではなく開閉扉によって筐体からの分離（取り外し）が規制され、開閉扉の開閉動作によって筐体に対して着脱されるため、組立工数の削減および分解メンテナンス性の向上を図ることができる。すなわち、前記一対の機器は、前記開閉扉が前記閉位置に位置された際には、前記筐体からの分離が前記開閉扉によって規制されるとともに、前記開閉扉が前記開位置に位置された際には、前記開閉扉による規制が解除され、前記筐体から分離できるようになっているため、これらの機器を分解してメンテナンスする際には、いちいちネジを緩めて取り外す必要はなく、単に開閉扉を開放するだけで済む。したがって、分解メンテナンス性が非常に良好となる。一方、前記機器を筐体に対して分離不可能に取り付ける場合には、開閉扉を閉じるだけで済むため、ネジを締める等の工数を削減でき、組立性が向上する。また、このような開閉扉の開閉による両側の機器の一括した着脱は、「開閉扉に対する前記一対の機器の設置方向と略直交する方向で前記開閉扉が開閉する」ことで、開閉扉が両方の機器に対して同時に離間し或いは接近するからこそ実現し得るものである。
【００１４】
また、請求項３に記載された遊技機は、請求項１または請求項２に記載された遊技機において、前記開閉扉は、前記開位置と前記閉位置との間で９０°以上回動することを特徴とする。
【００１５】
この請求項３に記載された遊技機によれば、請求項１または請求項２に記載された遊技機と同様の作用効果を得ることができるとともに、前記開閉扉が前記開位置と前記閉位置との間で９０°以上回動できるため、メンテナンス空間を大きく確保でき、開閉扉を開放して行なうメンテナンスの作業性を向上させることができる。また、このように開閉扉の開放角度を９０°以上に設定できる理由は、請求項１における構成すなわち「開閉扉に対する前記一対の機器の設置方向と略直交する方向で前記開閉扉が開閉する」ことで、開閉扉を十分に開放させても開閉扉が前記機器と干渉してしまうことがないためである。
【００１６】
また、請求項４に記載された遊技機は、請求項１から請求項３のいずれか１項に記載された遊技機において、前記開閉扉と前記筐体との間に介在して設けられ、前記開閉扉を開閉可能に支持するとともに、前記開閉扉の開放状態を維持可能な支持手段を更に備えていることを特徴とする。
【００１７】
この請求項４に記載された遊技機によれば、請求項１から請求項３のいずれか１項に記載された遊技機と同様の作用効果を得ることができるとともに、支持手段によって開閉扉を開閉可能に支持できるため、開放された開閉扉がメンテナンス中に不意に閉じてしまうといった事態を防止できる。また、この請求項４の構成は、請求項３の構成と組み合わされることにより、新たな効果を生じ得る。すなわち、請求項３の構成のごとく、開閉扉を９０°以上開放することで、開閉扉の重量が支持手段に対して常時作用しないようにすることができるため、支持手段の早期劣化を防止できるとともに、支持手段が劣化した場合であっても、開閉扉が不意に閉まることを防止できる。なお、前記支持手段としては、例えば機械的または空圧的なスプリングから成る弾性部材等が好適である。
【発明の効果】
【００１８】
本発明の遊技機によれば、開閉扉に対する一対の機器の設置方向と略直交する方向で開閉扉が開閉し、また、開閉扉の開閉動作によって前記一対の機器が筐体に対して着脱されるため、開放された開閉扉によってメンテナンス作業が妨げられることがなく、また、組立性も良好となる。
【発明を実施するための最良の形態】
【００１９】
以下、図面を参照しながら、本発明の一実施形態について具体的に説明する。なお、以下の実施形態では、遊技機として、スラント型のスロットマシンを例示して説明する。
【００２０】
図１は、本実施形態に係るスロットマシンの一例を示した斜視図である。図示のように、本実施形態に係るスロットマシン１は、それぞれ図柄が描かれた複数の回転リール３Ｌ，３Ｃ，３Ｒを横一列に回転可能に配設して成るリールユニットを含む遊技装置と、この遊技装置を内部に組み込んだ筐体１０とを備えている。
【００２１】
筐体１０は、筐体１０に対して開閉可能な開閉扉１１を備えている。本実施形態において、この開閉扉１１は、回転リール３Ｌ，３Ｃ，３Ｒが透過して視認できる透過型の液晶表示装置１２と、これを支持する枠体１３とによって構成されている。この場合、透過型の液晶表示装置１２は、保護ガラス、表示板、液晶パネル、導光板、反射フィルム、蛍光ランプから成り、遊技に応じて各種の動的な演出画像を表示したり、遊技者が遊技を有利に進めるために必要な情報の表示等を行なうことができる。また、枠体１３は、液晶パネル駆動用のＩＣを搭載したテーブルキャリアパッケージ（ＴＣＰ）等から成る。なお、開閉扉１１は、着座した状態で回転リール３Ｌ，３Ｃ，３Ｒが視認し易いように、その閉位置において、水平方向に対して後方側が上昇するように傾斜している。
【００２２】
また、筐体１０は、開閉扉１１の手前側（遊技者側）下方に、開閉扉１１よりも緩やかな傾斜面を有する台座部（機器）１５を備えている。この台座部１５には、遊技を行なう上で必要とされる各種の操作手段としての遊技ボタン１６（ＢＥＴボタン、リール回転ボタン、リール停止ボタン等）や、コインを投入する投入口１７等が形成されている。また、筐体１０は、開閉扉１１の後方上側に、カードリーダ（機器）３０を備えている。このカードリーダ３０は、カード挿入口３０ａから挿入されるカードに記録された遊技に必要な情報を読み取ることができる。すなわち、本実施形態のスロットマシン１では、遊技に必要な各種の操作または処理を行なう一対の機器１５，３０が開閉扉１１の上下両側に位置して設けられているものである。
【００２３】
また、台座部１５の手前側には、これに隣接して、略水平面を有するアームレスト２０が設けられている。このアームレスト２０により、遊技者は、図示しない椅子に座った状態で、自分の腕をアームレスト２０に載せて、台座部１５に設けられた各種の遊技ボタン１６を疲れることなく容易に操作できる。
【００２４】
また、筐体１０は、カードリーダ３０の更に上側に、垂直状態に配置される正面パネル部２１を備えており、ここには、例えば、入賞図柄の組み合せや配当等を表示する配当表２２や、遊技中に遊技の興趣を増大するため、演出用の効果音を発音するスピーカ２５Ｌ，２５Ｒ等が設けられている。
【００２５】
ところで、本実施形態において、前記開閉扉１１は、開閉扉１１に対する一対の機器１５，３０の設置方向と略直交する方向で開閉するようになっている。具体的には、開閉扉１１は、これに対して上下に設置された台座部１５およびカードリーダ３０に対して左右に開閉するようになっており、更に具体的には、ヒンジ機構を介して、筐体１０の内部を外部に対して開放する開位置（図２の位置）と、筐体１０の内部を外部に対して閉塞する閉位置（図１の位置）との間で左側方に回動するようになっている。この場合、開閉扉１１と筐体１０との間には、開閉扉１１を開閉可能に支持するとともに、開閉扉１１の開放状態を維持可能な支持手段として、ガススプリング５０が介在して設けられている。このガススプリング５０は、ガスチャンバを形成するシリンダ５０ａと、シリンダ５０ａ内に進退自在に挿通され且つガス圧によって作動するピストン５０ｂとから成り、シリンダ５０ａの基端が筐体１０側に回動可能に取り付けられるとともに、ピストン５０ｂの先端が開閉扉１１の裏面に対して回動可能に取り付けられている。
【００２６】
また、本実施形態において、開閉扉１１の上下両側に設置された台座部１５およびカードリーダ３０は、ネジ等の固定手段によってではなく、ラッチや嵌め込み等の分離可能な任意の手段によって筐体１０に取り付けられるとともに、筐体１０からの分離が開閉扉１１のみによって規制されるようになっており、開閉扉１１の開閉動作によって筐体１０に対して着脱できるようになっている。
【００２７】
特に、本実施形態において、台座部１５は、図３に示されるように、ネジ等の別個の固定部材を全く必要とすることなく、例えば嵌め込み装着により、開閉扉１１と隣接する筐体１０の所定の領域に設置されるようになっている。具体的には、台座部１５は、その一方側が閉位置にある開閉扉１１によって上側から押さえ込まれ、その他方側がアームレスト２０側に嵌め込まれるようになっている。更に具体的には、図５に示されるように、台座部１５は、開閉扉１１と隣接する一方側に、開閉扉１１によって開放される筐体１０の開口６０へと斜めに突出する第１の突片１５ａを有しており、この第１の突片１５ａは、これに対応して開閉扉１１の裏面に突設された当接部１１ａによって上側から押え付けられるようになっている。また、台座部１５は、アームレスト２０と隣接する他方側の裏面に、Ｌ字型の第２の突片１５ｂを有しており、この第２の突片１５ｂは、アームレスト２０または筐体１０側から台座部１５に向けて直線状に延びる突出部４０の下側に潜り込むように係合することにより、台座部１５の上側への移動（図中Ｂ方向への移動）をその他方側で規制するようになっている。
【００２８】
一方、カードリーダ３０も、ネジ等の別個の固定部材を全く必要とすることなく、例えば嵌め込み装着により、開閉扉１１と隣接する筐体１０の所定の領域に設置されるようになっている。具体的には、カードリーダ３０は、その一方側が閉位置にある開閉扉１１によって上側から押さえ込まれ、その他方側が開閉扉１１と隣接する筐体１０の嵌め込み口５０（図３参照）に嵌め込み装着されるようになっている。更に具体的には、図５に示されるように、カードリーダ３０は、筐体１０の開口６０へと突出する第１の突片３０ｂが前面側に設けられている。また、これに対応して、開閉扉１１の裏面には、カードリーダ３０の第１の突片３０ｂに当て付いてこれを上側から押え付ける押え部１１ａが設けられている。また、カードリーダ３０には、その上面に、上側に突出する第２の突片３０ｃが設けられており、この第２の突片３０ｃは、嵌め込み口５０を通じて筐体１０の裏側の壁に潜り込むように当て付くことにより、カードリーダ３０の前方への移動（図中Ａ方向への移動）を規制するようになっている。
【００２９】
したがって、このような構成では、筐体１０に台座部１５およびカードリーダ３０を設置した状態で、開閉扉１１を前記閉位置（図１の位置）に位置させて筐体１０の開口６０を閉じると、開閉扉１１の裏面の押え部１１ａがカードリーダ３０の第１の突片３０ｂに当て付いてこれを上側から押え付けるとともに、開閉扉１１の裏面の当接部１１ａが台座部１５の第１の突片１５ａに当て付いてこれを上側から押え付ける。その状態が図５に示されている。この状態では、カードリーダ３０は、第１の突片３０ｂを介して開閉扉１１により上側から押え付けられているため、筐体１０の嵌め込み口５０から抜け出ることができず（嵌め込み口５０内に保持され）、したがって、筐体１０からの分離（取り外し）が規制される。一方、台座部１５も、その第１の突片１５ａを介して開閉扉１１により上側から押え付けられて筐体１０からの分離が規制される。
【００３０】
一方、図５の状態から開閉扉１１を前記開位置（図２および図４の位置）へと回動させると、開閉扉１１による規制が解除されるため、図３に示されるように、台座部１５およびカードリーダ３０を筐体１０から分離することができる。
【００３１】
以上説明したように、本実施形態のスロットマシン１は、開閉扉１１の両側に一対の機器１５，３０が設置され、開閉扉１１に対する前記一対の機器１５，３０の設置方向と略直交する方向で開閉扉１１が開閉するようになっている。そのため、図２に示されるように開閉扉１１を開放しても、開閉扉１１の両側に設置された機器１５，３０が開放された開閉扉１１によって隠れてしまうことがない。したがって、開閉扉１１によって開放された筐体１０内の各種装置のメンテナンスを行なう場合にも、そのメンテナンスに伴う機器１５，３０の操作がやり易く（例えば、筐体１０内における各種装置のメンテナンス中に、カードリーダ３０や台座部１５の遊技ボタン１６を操作するといった作業がし易く）、また、メンテナンス中に機器１５，３０を何ら障害無く目視することができる。
【００３２】
また、このように、開閉扉１１に対する前記一対の機器１５，３０の設置方向と略直交する方向で開閉扉１１を開閉できれば、開閉扉１１を十分に開放させても開閉扉１１が前記機器１５，３０と干渉してしまうことがないため、図６に示されるように開閉扉を９０°以上開放させることも可能になる。また、開閉扉を９０°以上開放すれば、メンテナンス空間を大きく確保できるため、開閉扉１１を開放して行なうメンテナンスの作業性を向上させることができる。
【００３３】
また、本実施形態のスロットマシン１において、一対の機器としてのカードリーダ３０および台座部１５は、開閉扉１１が前記閉位置に位置された際には、筐体１０からの分離が開閉扉１１によって規制されるとともに、開閉扉１１が前記開位置に位置された際には、開閉扉１１による規制が解除され、筐体１０から分離できるようになっている。このように、カードリーダ３０および台座部１５が、ネジ等の固定手段によってではなく開閉扉１１によって筐体１０からの分離が規制され、開閉扉１１の開閉動作によって筐体１０に対して着脱されるようになっていれば、組立工数の削減および分解メンテナンス性の向上を図ることができる。すなわち、カードリーダ３０および台座部１５を分解してメンテナンスする際には、いちいちネジを緩めて取り外す必要はなく、単に開閉扉１１を開放するだけで済む。したがって、分解メンテナンス性が非常に良好となる。一方、カードリーダ３０および台座部１５を筐体１０に対して分離可能に取り付ける場合には、開閉扉１１を閉じるだけで済むため、ネジを締める等の工数を削減でき、組立性が向上する。
【００３４】
また、本実施形態のスロットマシン１は、開閉扉１１と筐体１０との間に介在して設けられ、開閉扉１１を開閉可能に支持するとともに、開閉扉１１の開放状態を維持可能な支持手段としてガススプリング５０を備えている。このようにガススプリング５０によって開閉扉１１を開閉可能に支持できれば、開放された開閉扉１１がメンテナンス中に不意に閉じてしまうといった事態を防止できる。また、開閉扉１１を９０°以上開放することで、開閉扉１１の重量がガススプリング５０に対して常時作用しないようにすることもできるため、ガススプリング５０の早期劣化を防止できるとともに、ガススプリング５０が劣化した場合であっても、開閉扉１１が不意に閉まることを防止できる。
【００３５】
なお、本発明は、前述した実施形態に限定されることなく、その要旨を逸脱しない範囲で種々変形して実施できることは言うまでもない。例えば、前述した実施形態では、一対の機器１５，３０が開閉扉１１の上下に位置し、開閉扉１１が左右方向で開閉するようになっているが、一対の機器１５，３０が開閉扉１１の左右に位置している場合には、開閉扉１１は上下方向で開閉するようになっていても良い。また、前述した実施形態において、開閉扉１１は、ヒンジ結合による回動によって開閉するようになっているが、ガイドレール等に沿うスライド動作によって開閉しても良い。また、開閉扉１１の両側に設置される機器としては、台座部１５やカードリーダ３０の他、タッチパネル（液晶装置）等の入力装置を挙げることができる。
【産業上の利用可能性】
【００３６】
本発明は、前述した実施形態で説明したようなスロットマシンの他、パチンコ機等、開閉扉の両側に機器を備える様々な遊技機に適用することが可能である。
【図面の簡単な説明】
【００３７】
【図１】本発明の一実施形態に係る遊技機としてのスロットマシンの斜視図である。
【図２】図１のスロットマシンにおいて開閉扉を開放した状態を示す要部拡大斜視図である。
【図３】図２の状態から台座部とカードリーダとを取り外した状態を示す分解斜視図である。
【図４】図１のスロットマシンにおいて開閉扉を開放した状態を示す要部拡大側面図である。
【図５】開閉扉を閉位置に位置させて、筐体からの台座部およびカードリーダの分離を規制した状態を模式的に示した要部概略図である。
【図６】開閉扉を９０°以上開放した状態を示す要部拡大斜視図である。
【符号の説明】
【００３８】
１    スロットマシン
１０    筐体
１１  開閉扉
１５    台座部（機器）
３０    カードリーダ（機器）
【図１】
2005144129.tif 000003
【図２】
2005144129.tif 000004
【図３】
2005144129.tif 000005
【図４】
2005144129.tif 000006
【図５】
2005144129.tif 000007
【図６】
2005144129.tif 000008